(57)【要約】      （修正有）【課題】可撓性材の伸縮部をコンクリート構造物に対して有効に締め付けることができ、シール性の高いコンクリート構造物用伸縮継手を提供する。【解決手段】伸縮継手１は、コンクリート構造物２の目地部３を跨って配設され、押し部４を両側に有する可撓性材の伸縮部５と、押し部４に長手方向に渡って被せられる断面コの字状の当接部６と、当接部６の長手方向に間隔を置いてコンクリート構造物２に押し付け固定するための複数の固定ユニット１０とを備え、固定ユニット１０は、目地部３の側に位置する下方に折れた短脚１１ｂと目地部３の反対側に位置する下方に折れた長脚１１ｄとを有し、長脚１１ｄがコンクリート構造物２に接触し当接部６に被せられる当圧部１１と、当圧部１１を介して押し部４をコンクリート構造物２に押し付けるためのアンカーボルトナット１４とを有し、当接部６はアンカーボルトナット１４に対し目地部３の側に位置する。【選択図】図１
2014234652.tif 000002
【特許請求の範囲】
【請求項１】
コンクリート構造物の間の目地部を跨って配設され、前記コンクリート構造物に押し付けられる押し部を両側に有する可撓性材の伸縮部と、
前記押し部に長手方向に渡って被せられる断面コの字状の当接部と、
前記押し部に被せられた前記当接部を、前記当接部の長手方向に間隔を置いて複数箇所に前記コンクリート構造物に押し付け固定するための複数の固定ユニットと、
を備え、
前記固定ユニットは、
前記目地部の側に位置する内側角部から下方に折れた短脚と前記目地部の反対側に位置する外側角部から下方に折れた長脚とを有し、前記長脚が前記コンクリート構造物に接触する断面変形コの字状の前記当接部に被せられる当圧部と、
前記押し部に被せられた前記当接部に前記当圧部を被せた状態で前記当圧部を前記コンクリート構造物に押し取り付け前記押し部を前記コンクリート構造物に押し付けるためのボルトとナットとからなるアンカーボルトナットと
を有し、
前記押し部に被せられた前記当接部は、断面視において前記ボルトに対し前記目地部の側に位置する
ことを特徴とするコンクリート構造物用伸縮継手。
【請求項２】
前記伸縮部は両側の前記押し部の間に波状ユニットが繰り返す波状部を有し、前記押し部に最隣接する前記波状ユニットは、前記押し部の内側下部から前記コンクリート構造物面に沿って伸びてから波状に立ち上がっている
ことを特徴とする請求項１記載のコンクリート構造物用伸縮継手。
【請求項３】
前記押し部の下面から突出する突起が形成されている
ことを特徴とする請求項１記載のコンクリート構造物用伸縮継手。
【請求項４】
前記伸縮部の上側にカバーゴムが被せられ、前記カバーゴムの端部は前記押し部と前記当接部との間に巻かれている
ことを特徴とする請求項１記載のコンクリート構造物用伸縮継手。
【請求項５】
前記当圧部は、一枚の鉄鋼材板の４つの角部を切断し、両側部を前記短脚と前記長脚として下方へ折りまげ、前後部を上方へ折り曲げたものである
ことを特徴とする請求項１記載のコンクリート構造物用伸縮継手。
【発明の詳細な説明】
【技術分野】
【０００１】
本発明はコンクリート構造物用伸縮継手に係り、特にコンクリート構造物間の隙間を密閉するコンクリート構造物用伸縮継手に関する。
【背景技術】
【０００２】
コンクリートで構築されるコンクリート構造物である水路や共同溝等の地中に構築される暗渠などのつなぎ部である目地部には、内外を止水することが行われる。この場合、両側のコンクリート構造物が不均一に沈下したりあるいは地震等の影響により、目地部を挟んだ両側のコンクリート構造物の間の間隔がずれたりするが、これらのずれを許容するように、可撓性の伸縮継手を設けたコンクリート構造物用伸縮継手が採用されている。このようなコンクリート構造物用伸縮継手として、例えば特許文献１が知られている。
【先行技術文献】
【特許文献】
【０００３】
【特許文献１】特開２０１０−１５０８０７号公報
【発明の開示】
【発明が解決しようとする課題】
【０００４】
しかしながら、例えば特許文献１にあっては、一度、アンカーボルトナットで目地部に跨る可撓部材の両側でコンクリート構造物に押し付け固定した後には、衝撃等で緩んだとしても、可撓部材をさらに押し付けることができないためにアンカーボルトナットを増し締めすることができないという問題があった。
【０００５】
また、従来のコンクリート構造物用伸縮継手においては、可撓部材の内側から高い内圧が係った場合に、可撓部材がコンクリート構造物の面に対してシ−ル性が弱くなるという問題があった。
【０００６】
そこで、本願発明は上記従来技術の有する問題を解消し、可撓性材の伸縮部をコンクリート構造物に対して有効に締め付けることができ、シール性の高いコンクリート構造物用伸縮継手を提供することである。
【課題を解決するための手段】
【０００７】
上記課題を解決するために、本願発明に係るコンクリート構造物用伸縮継手は、コンクリート構造物の間の目地部を跨って配設され、前記コンクリート構造物に押し付けられる押し部を両側に有する可撓性材の伸縮部と、前記押し部に長手方向に渡って被せられる断面コの字状の当接部と、前記押し部に被せられた前記当接部を、前記当接部の長手方向に間隔を置いて複数箇所に前記コンクリート構造物に押し付け固定するための複数の固定ユニットと、を備え、前記固定ユニットは、前記目地部の側に位置する内側角部から下方に折れた短脚と前記目地部の反対側に位置する外側角部から下方に折れた長脚とを有し、前記長脚が前記コンクリート構造物に接触する断面変形コの字状の前記当接部に被せられる当圧部と、前記押し部に被せられた前記当接部に前記当圧部を被せた状態で前記当圧部を前記コンクリート構造物に押し取り付け前記押し部を前記コンクリート構造物に押し付けるためのボルトとナットとからなるアンカーボルトナットとを有し、前記押し部に被せられた前記当接部は、断面視において前記ボルトに対し前記目地部の側に位置することを特徴とする。
【０００８】
また、前記伸縮部は両側の前記押し部の間に波状ユニットが繰り返す波状部を有し、前記押し部に最隣接する前記波状ユニットは、前記押し部の内側下部から前記コンクリート構造物面に沿って伸びてから波状に立ち上がっていることを特徴とする。
【０００９】
また、前記押し部の下面から突出する突起が形成されていることを特徴とする。
【００１０】
また、前記伸縮部の上側にカバーゴムが被せられ、前記カバーゴムの端部は前記押し部と前記当接部との間に巻かれていることを特徴とする。
【００１１】
また、前記当圧部は、一枚の鉄鋼材板の４つの角部を切断し、両側部を前記短脚と前記長脚として下方へ折りまげ、前後部を上方へ折り曲げたものである
ことを特徴とすることを特徴とする。
【発明の効果】
【００１２】
本願発明の構成によれば、押し部に被せられた当接部は、断面視においてボルトに対し目地部の側に位置し、長脚の下端部が支点として作用するので、アンカーボルトナットによる締め付け力を有効に押し部に作用することが可能になる。
【００１３】
また、コンクリート構造物には押し部のみを押し付けることができるので、増し締めを容易に行うことができる。
【００１４】
また、伸縮部は内圧を受ける場合に、押し部は目地部の側へ力の引きつけられるように力を受けることによって目地部側へ圧縮変形するので、セルフシール性を発揮することが可能になる。
【発明を実施するための最良の形態】
【００１５】
図１は、本願発明に係るコンクリート構造物用伸縮継手の一実施形態を示す断面図である。図１において、コンクリート構造物用伸縮継手１は、コンクリート構造物２の間の目地部３を跨って配設され、コンクリート構造物２に押し付けられる押し部４を両側に有する可撓性材の伸縮部５と、押し部４に長手方向に渡って被せられる断面コの字状の当接部６と、押し部４に被せられた当接部６を、当接部６の長手方向に間隔を置いて複数箇所にコンクリート構造物４に押し付け固定するための複数の固定ユニット１０とを備えている。
【００１６】
固定ユニット１０は、目地部３の側に位置する内側角部１１ａから下方に折れた短脚１１ｂと目地部３の反対側に位置する外側角部１１ｃから下方に折れた長脚１１ｄとを有し、長脚１１ｄがコンクリート構造物２に接触する断面変形コの字状の当接部６に被せられる当圧部１１と、押し部４に被せられた当接部６に当圧部１１を被せた状態で当圧部１１をコンクリート構造物２に押し取り付け押し部４をコンクリート構造物２に押し付けるためのボルト１２とナット１３とからなるアンカーボルトナット１４とを有する。
【００１７】
押し部４に被せられた当接部６は、断面視においてボルト１２に対し目地部３の側に位置する。すなわち、図１において、右側の当接部６は右側のボルト１２に対し目地部３の側に位置し、左の当接部６は左側のボルト１２に対し目地部３の側に位置する。
【００１８】
伸縮部は両側の押し部４の間に波状ユニットが繰り返す波状部１６を有し、押し部４に最隣接する波状ユニット１７は、押し部４の内側下部４ａからコンクリート構造物の面２ａに沿って伸びてから波状に立ち上がっている立ち上がり部１７ａを有する。
【００１９】
押し部４の下面には、突出する突起４ａが形成されている。押し部４がコンクリート構造物２の面２ａに押し付けられることによって突起４ａが圧縮変形され、シール性がより確実になる。
【００２０】
伸縮部５の上側にカバーゴム１９が被せられ、カバーゴム１９の端部１９ａは押し部４と当接部６との間に巻かれている。
【００２１】
伸縮部５は止水可能にゴム材からなり、図１の紙面に垂直方向に長手状に形成されている。押し部４は断面がほぼ四方体でブロック状に形成されている。断面コの字状の当接部６は金属材からなり、図１の紙面に垂直方向に長手状に形成され、単位長さのものが連続的に連結されている。
【００２２】
図１に示すように、当接部６は押し部４の上半部に上から被せ置かれて配設されている。当圧部１１の短脚１１ｂは、当接部６の内側脚部６ａを越えて下方へ出ないような長さを有する。押し部４に最隣接する波状ユニット１７の立ち上がり部１７ａは、押し部４の内側下部４ａから伸びコンクリート構造物の面２ａと当接部６の脚部６ａの端部との間から目地部３の側へ立ち上がっている。
【００２３】
ボルト１２はコンクリート構造物２に打ち込められ、ナット１３は当圧部１１の上に置かれたワッシャ１８を介してボルト１２の頂部側からボルト１２に締め付けられる。
【００２４】
図４はコンクリート構造物用伸縮継手１を示す平面図であり、図５は図４に対応する端面図である。図４に示されるように、複数の固定ユニット１０が間隔を置いて当接部６の長手方向に配設され、押し部４に被せられた当接部６をアンカーボルトナット１４によってコンクリート構造物４に押し付け固定する。
【００２５】
次に、図６を参照して一枚の鉄鋼材板から簡易に製造される当圧部１１について説明する。図６（ａ）は一枚の鉄鋼材板から４つの隅を切断した組立前の当圧部１１を示す。図６（ｂ）は組立後の当圧部１１を示す。当圧部１１は、内側角部１１ａから下方に折られる短脚１１ｂと、外側角部１１ｃから下方に折られる長脚１１ｄと、前側と後側とで上方に折られる同等の高さの起立部１１ｅ、１１ｆと、中央部の基部１１ｇと、基部１１ｇに形成されたアンカーボルトナット１用の穴部１１ｈとを備えている。
【００２６】
当圧部１１は一枚の鉄鋼材板を材料とするので、簡易に安価に製造することができる。また、当圧部１１においては、左右に対向する短脚１１ｂと長脚１１ｄとが下方に向き、前後に対向する起立部１１ｅ、１１ｆが上方に向いているので、高い耐ねじれ性を有し、一枚の鉄鋼材板から簡易に製造したにもかかわらず、高い強度を有する。
【００２７】
次に、本実施形態に係るコンクリート構造物用伸縮継手１においては、アンカーボルトナット１４を用いて、伸縮部５の押し部４をコンクリート構造物２に対して極めて有効に押し当てることができることについて説明する。
【００２８】
前述したように、押し部４に被せられた当接部６は、断面視においてボルト１２に対し目地部３の側に位置する。また、当圧部１１の長脚１１ｄのみがコンクリート構造物２に接触し、短脚１１ｂはコンクリート構造物２に接触しない。また、当接部６の下端部もコンクリート構造物２に接触しない。この結果、アンカーボルトナット１４のボルト１２をナット１３で締め付け当圧部１１を押し付ける場合に、長脚１１ｄの下端部が支点として作用し、押し部４に被せられた当接部６はボルト１２に対し目地部３の側に位置するので、アンカーボルトナット１４に付加する力によるトルクは拡大され、ボルト１２に対し目地部３の側に位置する押し部４を有効に押し付けることが可能になる。
【００２９】
また、ボルト１２をナット１３で締め付ける場合に、押し部４のみがコンクリート構造物２に押し付けられ当接部６の下端部等がコンクリート構造物２に押し付けられることはない。この結果、アンカーボルトナット１４で押し部４をコンクリート構造物２に固定した後に衝撃等で締め付けが緩んだとしても、ボルト１２をナット１３でさらに締め付けてアンカーボルトナット１４を増し締めすることが可能になる。
【００３０】
次に、本実施形態に係るコンクリート構造物用伸縮継手１においては、目地部３から伸縮部５の内側へ高い内圧が係った場合においても、有効にセルフシール性を発揮することができることについて説明する。
【００３１】
図２は通常時の状態を示し、図３は目地部３から伸縮部５の内側へ高い内圧が作用した状態を示す。図２において、アンカーボルトナット１４の作用によって押し部１１に圧力Ｐ１が作用し、押し部１１は圧力Ｐ２でコンクリート構造物２の面に押し付けられている。
【００３２】
前述したように、押し部４に最隣接する波状ユニット１７は、押し部４の内側下部４ａからコンクリート構造物の面２ａに沿って伸びてから波状に立ち上がっている立ち上がり部１７ａを有し、立ち上がり部１７ａは、押し部４の内側下部４ａから伸びコンクリート構造物の面２ａと当接部６の内側脚部６ａの端部との間から目地部３の側へ立ち上がっている。この結果、図３に示すように、目地部３から伸縮部５の内側へ高い内圧が作用すると、立ち上がり部１７ａはより高く立ち上がるように内圧を受け、押し部４は目地部３の側へ力の引きつけられるように力を受ける。押し部４は上半部が当接部６に納められており上下方向には変形できないので、押し部４は、目地部３の側へ引きつけられるように力を受けることによって目地部３側へ圧縮変形する。当接部６の外側脚部６ｂ及びカバーゴム１９の端部１９ａと押し部１１の外側端面との間には隙間４ｃが生じる。押し部４が目地部３の側へ圧縮変形することによる結果、押し部４は図３で符号Ｐ３で示すように内側下方へ向く弾性力を生み、圧力Ｐ２は図２における場合に比べて増大する。圧力Ｐ２が増大することによって、押し部４はコンクリート構造物の面２ａにより強く押し付けられ、セルフシール性を発揮することが可能になる。
【００３３】
以上のように、本実施形態に係るコンクリート構造物用伸縮継手１の構成によれば、長脚１１ｄの下端部が支点として作用し、押し部１１はボルト１２に対し目地部３の側に位置するので、アンカーボルトナット１４による締め付け力を有効に押し部４に作用することが可能になる。
【００３４】
また、コンクリート構造物２には押し部１１のみを押し付けることができるので、増し締めを容易に行うことができる。
【００３５】
また、伸縮部５は内圧を受ける場合に、押し部４は目地部３の側へ力の引きつけられるように力を受けることによって目地部３側へ圧縮変形するので、セルフシール性を発揮することが可能になる。
【図面の簡単な説明】
【００３６】
【図１】本願発明に係るコンクリート構造物用伸縮継手の一実施形態を示す断面図。
【図２】目地部から伸縮部の内側へ高い内圧が作用していない通常の状態を示す図。
【図３】目地部から伸縮部の内側へ高い内圧が作用している状態を示す図。
【図４】コンクリート構造物用伸縮継手を示す平面図。
【図５】図４に対応する端面図。
【図６】一枚の鉄鋼材板から製造される当圧部を示す図でり、（ａ）は組立前のものを示し、（ｂ）は組立後のものを示す。
【符号の説明】
【００３７】
１  コンクリート構造物用伸縮継手
２  コンクリート構造物
３  目地部
４  押し部
５  伸縮部
６  当接部
１０  固定ユニット
１１  当圧部
１１ｂ  短脚
１１ｄ  長脚
１２  ボルト
１３  ナット
１４  アンカーボルトナット
１６  波状部
１７  押し部に最隣接する波状ユニット
１９  カバーゴム
【図４】
2014234652.tif 000003
【図６】
2014234652.tif 000004
【図１】
2014234652.tif 000005
【図２】
2014234652.tif 000006
【図３】
2014234652.tif 000007
【図５】
2014234652.tif 000008